(57)【要約】【課題】破損のおそれが少なく、製造効率を高めることが可能である電力変換装置およびこれを利用した電球を提供すること。【解決手段】電力が入力される入力端子３Ａ，３Ｂと、入力端子３Ａ，３Ｂから入力された電力をＬＥＤ素子７に適した仕様に変換して出力する電子素子２と、電子素子２によって変換された電力を出力する出力端子４と、を備えており、ＬＥＤ素子７を備えた電球Ｂに内蔵されるＡＣ／ＤＣコンバータＡ１であって、電子素子２を封止する樹脂パッケージ５を備えている。【選択図】  図１
2008123737.tif 000002
【特許請求の範囲】
【請求項１】
電力が入力される複数の入力端子と、
上記複数の入力端子から入力された電力を光源に適した仕様に変換して出力する電力変換部と、
上記電力変換部によって変換された電力を出力する複数の出力端子と、
を備えており、上記光源を備えた電球に内蔵される電力変換装置であって、
上記電力変換部を封止する樹脂パッケージを備えていることを特徴とする、電力変換装置。
【請求項２】
上記樹脂パッケージには、おねじが形成されており、
上記複数の入力端子は、上記樹脂パッケージを上記おねじに沿って回転させたときに進退する方向に突出したものと、上記樹脂パッケージを上記おねじに沿って回転させたときの径方向外方に突出するものと、を含んでいる、請求項１に記載の電力変換装置。
【請求項３】
口金と、光源と、請求項１または２に記載の電力変換装置とを備えており、
上記口金には、上記電力変換装置の上記おねじに対して螺合可能であるめねじが形成されていることを特徴とする、電球。
【発明の詳細な説明】
【技術分野】
【０００１】
本発明は、たとえば交流電力を直流電力に変換する電力変換装置およびこれを用いた電球に関する。
【背景技術】
【０００２】
商用電源を利用した電球として、発熱電球が広く使用されている。近年、この発熱電球に代えてＬＥＤ素子を光源として利用したＬＥＤ電球が提案されている。ＬＥＤ電球は、白熱電球と比べて省電力、長寿命という利点を有する。ＬＥＤ電球を白熱電球用の電源ソケットに挿入して使用するには、ＬＥＤ電球内において電力を変換する必要がある。図４は、従来のＬＥＤ電球の一例を示している。同図に示されたＬＥＤ電球Ｘは、口金９１、電力変換装置９２、およびＬＥＤ素子９３を備えている。口金９１は、アイレット９１ａとシェル９１ｂとを具備しており、商用の交流１００Ｖ電力を受電する部分である。電力変換装置９２は、交流１００Ｖ電力をＬＥＤ素子９３に適した直流電力に変換するためのものであり、入力端子９２ａと出力端子９２ｂとを備えている。入力端子９２ａは、導線９４を介してアイレット９１ａおよびシェル９１ｂに導通している。出力端子９２ｂは、ＬＥＤ素子９３に導通している。ＬＥＤ素子９３は、電球Ｘの光源であり、出力端子９２ｂから供給される直流電力によって点灯する。電球Ｘは、一般的な照明装置に設けられた電源ソケットに嵌め込んだ状態で白熱電球の代替品として用いることが可能であり、消費電力の抑制および交換頻度の低減を図ることができる。
【０００３】
しかしながら、ＬＥＤ電球Ｘの一部品である電力変換装置９２は、ある場所で大量に製造された後に、ＬＥＤ電球Ｘを製造する場に搬送されることが多い。このときに、電力変換装置９２を構成する電子素子をあやまって破損してしまうという不具合があった。また、ＬＥＤ電球Ｘを製造する際には、入力端子９２ａとアイレット９１ａおよびシェル９１ｂとを導通させるために、導線９４をアイレット９１ａおよびシェル９１ｂに対してハンダ付けする必要がある。一般的な電源ソケットに装着可能とするために、口金９１は、比較的小型とされている。この口金９１の内部においてハンダ付けすることは、作業が煩雑であり、生産効率を低下させていた。
【０００４】
【特許文献１】特開平６−２４２７３３号公報
【発明の開示】
【発明が解決しようとする課題】
【０００５】
本発明は、上記した事情のもとで考え出されたものであって、破損のおそれが少なく、製造効率を高めることが可能である電力変換装置およびこれを利用した電球を提供することをその課題とする。
【課題を解決するための手段】
【０００６】
本発明の第１の側面によって提供される電力変換装置は、電力が入力される複数の入力端子と、上記複数の入力端子から入力された電力を光源に適した仕様に変換して出力する電力変換部と、上記電力変換部によって変換された電力を出力する複数の出力端子と、を備えており、上記光源を備えた電球に内蔵される電力変換装置であって、上記電力変換部を封止する樹脂パッケージを備えていることを特徴としている。
【０００７】
このような構成によれば、上記電力変換部を上記樹脂パッケージによって保護することが可能である。したがって、たとえば上記電力変換装置を用いた電球を製造する際に、上記電力変換部の破損を防止することができる。
【０００８】
本発明の好ましい実施の形態においては、上記樹脂パッケージには、おねじが形成されており、上記複数の入力端子は、上記樹脂パッケージを上記おねじに沿って回転させたときに進退する方向に突出したものと、上記樹脂パッケージを上記おねじに沿って回転させたときの径方向外方に突出するものと、を含んでいる。このような構成によれば、一般的な電球の口金に対して上記電力変換装置を回転させることにより、上記口金に対して上記電力変換装置を容易に取り付けることができる。また、上記電力変換装置の取り付け作業によって、上記複数の入力端子を上記口金の電力供給部分に当接させることが可能である。
【０００９】
本発明の第２の側面によって提供される電球は、口金と、光源と、本発明の第１の側面によって提供される電力変換装置とを備えており、上記口金には、上記電力変換装置の上記おねじに対して螺合可能であるめねじが形成されていることを特徴としている。
【００１０】
このような構成によれば、上記電力変換装置を上記口金に対して回転させることにより上記電力変換装置を上記口金に対して容易に取り付けることができる。
【００１１】
本発明のその他の特徴および利点は、添付図面を参照して以下に行う詳細な説明によって、より明らかとなろう。
【発明を実施するための最良の形態】
【００１２】
以下、本発明の好ましい実施の形態につき、図面を参照して具体的に説明する。
【００１３】
図１および図２は、本発明に係るＡＣ／ＤＣコンバータおよびＬＥＤ電球の一例を示している。本実施形態のＬＥＤ電球Ｂは、ＡＣ／ＤＣコンバータＡ１と、口金６、ＬＥＤ素子７、および透光カバー８とを備えており、本発明で言う電球の一例である。
【００１４】
口金６は、商用の交流１００Ｖ電源ソケットから電力供給を受けるための部分であり、アイレット６ａとシェル６ｂとを備えている。アイレット６ａは、金属製であり、口金６の底部において内外に貫通するように設けられている。シェル６ｂは、たとえば金属プレートをプレス加工することにより形成されたものであり、略円筒形状とされている。シェル６ｂには、らせん状の凹凸が設けられている。これにより、シェル６ｂは、その外面がたとえばＥ１７などのＪＩＳ規格に準拠したおねじとなっており、その内面が上記おねじと同様の仕様のめねじとなっている。
【００１５】
ＬＥＤ素子７は、本発明で言う光源の一例である。ＬＥＤ素子７は、たとえば窒化ガリウムからなる半導体が積層された構造を有しており、直流電力を供給させることにより所定の波長の光を発する。ＬＥＤ素子７は、ブロック７１に搭載されている。ブロック７１は、たとえばＬＥＤ素子７からの放熱を促進する役割を果たす。ブロック７１は、ステー７２によって支持されている。ＬＥＤ素子７は、導通部材７３を介してＡＣ／ＤＣコンバータＡ１の出力端子４と導通している。
【００１６】
透光カバー８は、ＬＥＤ素子７を保護するためのものであり、ＬＥＤ素子７からの光を透過させることが可能であるガラスまたは透明樹脂などからなる。本実施形態においては、透光カバー８は、略球形状とされている。透光カバー８は、樹脂製のカップ８１を介して口金６に取り付けられている。
【００１７】
ＡＣ／ＤＣコンバータＡ１は、口金６から入力された交流電力をＬＥＤ素子７に適した直流電力に変換するためのものであり、本発明で言う電力変換装置の一例である。ＡＣ／ＤＣコンバータＡ１は、基板１、複数の電子素子２、入力端子３Ａ，３Ｂ、出力端子４、および樹脂パッケージ５を備えている。
【００１８】
基板１は、たとえばガラスエポキシ樹脂からなる絶縁基板であり、たとえば略矩形状とされている。基板１には、複数の電子素子２が搭載されている。また、基板１からは、入力端子３Ａ，３Ｂが延出している。
【００１９】
複数の電子素子２は、ＡＣ／ＤＣコンバータＡ１の主要機能である交流電力から直流電力へと変換する機能を実現するためのものであり、本発明で言う電力変換部の一例である。複数の電子素子２としては、たとえば整流のためのダイオードと、スイッチング回路、ドライブ回路、電流検出回路、および電圧検出回路が作りこまれたＩＣチップとが搭載されている。
【００２０】
樹脂パッケージ５は、複数の電子素子２を保護するためのものであり、たとえば黒色のエポキシ樹脂からなる。樹脂パッケージ５は、基板１の一部と複数の電子素子２とを封止している。樹脂パッケージ５には、おねじ５ａが形成されている。おねじ５ａは、口金６のシェル６ｂの内面に沿う形状およびサイズとされている。これにより、ＡＣ／ＤＣコンバータＡ１は、口金６に対して螺合可能とされている。
【００２１】
入力端子３Ａ，３Ｂは、口金６を介して商用の交流電力供給を受けるためのものであり、樹脂パッケージ５から露出している。入力端子３Ａは、ＡＣ／ＤＣコンバータＡ１を口金６に螺合させるために回転させたときに、ＡＣ／ＤＣコンバータＡ１が進退する方向に突出している。このため、ＡＣ／ＤＣコンバータＡ１を口金６に螺合させた状態においては、入力端子３Ａはアイレット６ａに当接する。入力端子３Ｂは、ＡＣ／ＤＣコンバータＡ１を口金６に螺合させるために回転させたときの径方向外方に突出している。このため、ＡＣ／ＤＣコンバータＡ１を口金６に螺合させた状態においては、入力端子３Ｂはシェル６ｂに当接する。本実施形態に備えられた２つの入力端子３Ｂは、基板１に形成された配線パターン（図示略）によって互いに導通している。
【００２２】
出力端子４は、ＬＥＤ素子７に対して直流電力を供給するためのものであり、基板１のうち樹脂パッケージ５から露出した部分に形成されている。出力端子４とＬＥＤ素子７とは、導通支持部材７１によって連結されている。
【００２３】
次に、ＡＣ／ＤＣコンバータＡ１およびＬＥＤ電球Ｂの作用について説明する。
【００２４】
本実施形態によれば、ＡＣ／ＤＣコンバータＡ１に搭載された電子素子２は、樹脂パッケージ５によって完全に覆われている。このため、ＡＣ／ＤＣコンバータＡ１を製造した後に、ＬＥＤ電球Ｂを製造する場にＡＣ／ＤＣコンバータＡ１を搬入する際や、口金６にＡＣ／ＤＣコンバータＡ１を取り付ける際に、電子素子２を誤って破損してしまうおそれがない。
【００２５】
ＡＣ／ＤＣコンバータＡ１の口金６への取り付けは、おねじ５ａをシェル６ｂの内面に沿わすようにＡＣ／ＤＣコンバータＡ１を口金６に対して回転させることによって容易に行うことができる。また、ＡＣ／ＤＣコンバータＡ１を口金６に取り付けると、入力端子３Ａがアイレット６ａと当接し、入力端子３Ｂがシェル６ｂと当接することとなる。したがって、ハンダ付けなどの作業を行うことなくＡＣ／ＤＣコンバータＡ１と口金６とを電気的に接続することが可能であり、ＬＥＤ電球Ｂの製造効率を高めることができる。
【００２６】
図３は、本発明の他の実施形態を示している。なお、これらの図において、上記実施形態と同一または類似の要素には、上記実施形態と同一の符号を付している。
【００２７】
図３に示されたＡＣ／ＤＣコンバータＡ２は、樹脂パッケージ５の形状が上述した実施形態と異なっている。本実施形態においては、樹脂パッケージ５には、４つの平面５ｂが形成されている。４つの平面５ｂは、それぞれが向く方向が互いに９０°ずつ異なる面とされている。４つの平面５ｂが形成されたことにより、おねじ５ａは、周方向において４分割された格好となっている。
【００２８】
このような実施形態によっても、電子素子２の破損を防止するとともに、このＡＣ／ＤＣコンバータＡ２を用いたＬＥＤ電球の製造を効率よく行うことができる。また、平面５ｂを有する形状とすることにより、樹脂パッケージ５を形成するのに要する樹脂量を削減することができる。
【００２９】
本発明に係る電力変換装置およびこれを用いた電球は、上述した実施形態に限定されるものではない。本発明に係る電力変換装置およびこれを用いた電球の各部の具体的な構成は、種々に設計変更自在である。
【００３０】
本発明で言う電力変換装置は、ＡＣ／ＤＣコンバータに限定されず、たとえばインバータ装置など、電力の仕様を所望の仕様に変換する構成とされたものであればよい。本発明は、光源としてＬＥＤ素子を備える電球のほかに、たとえば蛍光管を備えるものなど様々な種類の電球に適用することができる。
【図面の簡単な説明】
【００３１】
【図１】本発明に係るＡＣ／ＤＣコンバータおよびＬＥＤ電球の一例を示す断面図である。
【図２】本発明に係るＡＣ／ＤＣコンバータの一例を示す斜視図である。
【図３】本発明に係るＡＣ／ＤＣコンバータの他の例を示す斜視図である。
【図４】従来のＡＣ／ＤＣコンバータおよびＬＥＤ電球の一例を示す断面図である。
【符号の説明】
【００３２】
Ａ１，Ａ２  ＡＣ／ＤＣコンバータ（電力変換装置）
Ｂ      ＬＥＤ電球
１      基板
２      電子素子（電力変換部）
３Ａ，３Ｂ  入力端子
４      出力端子
５      樹脂パッケージ
５ａ    おねじ
６      口金
６ａ    アイレット
６ｂ    シェル
７      ＬＥＤ素子（光源）
８      透光カバー
【図１】
2008123737.tif 000003
【図２】
2008123737.tif 000004
【図３】
2008123737.tif 000005
【図４】
2008123737.tif 000006